(57)【要約】【課題】ユーザーが必要に応じて重心の位置や重さを調整することのできるアイアンクラブヘッドを提供する。【解決手段】ヘッド本体１０に取り付けられて、背部キャビティ１２の開口を部分的に遮蔽する板片状の第１の取付部材２０と、背部キャビティ１２の底部と離間した状態でヘッド本体１０と第１の取付部材２０との間に介在している板片状の第２の取付部材３０と、を具備し、第１の取付部材２０及び第２の取付部材３０は、ヘッド本体１０に対して脱着自在であるアイアンクラブヘッド１であるとユーザーが自身で重心の位置や重さを調整できる。【選択図】図１
2018153382.tif 000002
【特許請求の範囲】
【請求項１】
打撃面とは反対側の面である背面に、前記打撃面に向かう方向を深さ方向とする背部キャビティが設けられたヘッド本体を有するアイアンクラブヘッドであって、
前記ヘッド本体に取り付けられて、前記背部キャビティの開口を部分的に遮蔽する板片状の第１の取付部材と、
前記背部キャビティの奥深部と離間した状態で前記ヘッド本体と前記第１の取付部材との間に介在する位置で前記ヘッド本体に取り付けられる板片状の第２の取付部材と、
を少なくとも具備し、
前記第１の取付部材及び前記第２の取付部材は、前記ヘッド本体に対して脱着自在である
ことを特徴とするアイアンクラブヘッド。
【請求項２】
前記第１の取付部材が前記ヘッド本体に対してネジ止めされる構成であって、
前記背部キャビティ内には前記奥深部から突出する凸段部状のネジ台座が設けられており、
前記第１の取付部材における前記背部キャビティ側の板面には、前記第１の取付部材が前記ヘッド本体に対してネジ止めされた状態で、前記背部キャビティ内の前記ネジ台座に突き当てられる、凸段部状のネジ台部が設けられており、
前記第２の取付部材には、前記第１の取付部材の前記ネジ台部に外嵌する外嵌孔部が前記第２の取付部材の板厚方向に沿って貫通状に設けられている
請求項１に記載のアイアンクラブヘッド。
【請求項３】
前記第２の取付部材が前記ヘッド本体に取り付けられた状態で、
前記第２の取付部材の外嵌孔部の周縁部が、前記第１の取付部材と前記背部キャビティ内の前記ネジ台座とに挟持されている
請求項２に記載のアイアンクラブヘッド。
【請求項４】
前記第１の取付部材と前記第２の取付部材とが、積層状に重ね合わされて前記ヘッド本体に取り付けられている
請求項１乃至請求項３のいずれか１項に記載のアイアンクラブヘッド。
【請求項５】
前記第２の取付部材は、平板形状である
請求項１乃至請求項４のいずれか１項に記載のアイアンクラブヘッド。
【請求項６】
前記第１の取付部材と前記第２の取付部材とにおいて互いが対向する板面のうち、一方に嵌合凸部が形成されており、他方に、前記嵌合凸部に嵌合する嵌合凹部が形成されている
請求項１乃至請求項５のいずれか１項に記載のアイアンクラブヘッド。
【請求項７】
外表面の色が互いに異なる前記第１の取付部材又は前記第２の取付部材を交換可能に複数備えている
請求項１乃至請求項６のいずれか１項に記載のアイアンクラブヘッド。
【請求項８】
前記第１の取付部材又は前記第２の取付部材が、前記ヘッド本体に複数取り付けられている
請求項１乃至請求項７のいずれか１項に記載のアイアンクラブヘッド。
【請求項９】
比重が互いに異なる前記第１の取付部材又は前記第２の取付部材を交換可能に複数備えている
請求項１乃至請求項８のいずれか１項に記載のアイアンクラブヘッド。
【発明の詳細な説明】
【技術分野】
【０００１】
本発明は、主にユーザーが重さや重心の位置を選択的に変更可能なアイアンクラブヘッドに関する。
【背景技術】
【０００２】
従来から、ゴルフ用のアイアンクラブとしては、例えば特許文献１のような構成が既に提案されている。具体的には、打球面（打撃面）の背後の上部に凹部（キャビティ）を設けると共に、下部に打球面部、ソール部、打球面部に対面する背壁部等に包囲され、上方が凹部に開口する空洞部を形成したゴルフクラブヘッドが開示されている。これにより、ヘッドの慣性モーメントを大きく維持してヘッド重心が極めて低く深く設定され、打球が上がり易く方向性の安定と大きな飛距離が得られる。
【先行技術文献】
【特許文献】
【０００３】
【特許文献１】特開２０００−２１０４００号公報
【発明の概要】
【発明が解決しようとする課題】
【０００４】
しかしながら、ユーザーによって要求されるゴルフクラブヘッドの重さや重心の位置等は異なり、細かな調整を行うことのできるゴルフクラブヘッドが求められていた。
【０００５】
そこで本発明は、ユーザーが必要に応じて重さや重心の位置を調整することのできるアイアンクラブヘッドを提供することを目的とする。
【課題を解決するための手段】
【０００６】
本発明は、打撃面とは反対側の面である背面に、前記打撃面に向かう方向を深さ方向とする背部キャビティが設けられたヘッド本体を有するアイアンクラブヘッドであって、前記ヘッド本体に取り付けられて、前記背部キャビティの開口を部分的に遮蔽する板片状の第１の取付部材と、前記背部キャビティの奥深部と離間した状態で前記ヘッド本体と前記第１の取付部材との間に介在する位置で前記ヘッド本体に取り付けられる板片状の第２の取付部材と、を少なくとも具備し、前記第１の取付部材及び前記第２の取付部材は、前記ヘッド本体に対して脱着自在であることを特徴とするアイアンクラブヘッドである。
【０００７】
かかる構成にあっては、前記第１の取付部材や第２の取付部材を前記ヘッド本体に対して脱着自在とすることで、ユーザー自身が重さや重心の位置を調整することのできるアイアンクラブヘッドを提供できる。
【０００８】
また、前記第１の取付部材が前記ヘッド本体に対してネジ止めされる構成であって、前記背部キャビティ内には前記奥深部から突出する凸段部状のネジ台座が設けられており、前記第１の取付部材における前記背部キャビティ側の板面には、前記第１の取付部材が前記ヘッド本体に対してネジ止めされた状態で、前記背部キャビティ内の前記ネジ台座に突き当てられる、凸段部状のネジ台部が設けられており、前記第２の取付部材には、前記第１の取付部材の前記ネジ台部に外嵌する外嵌孔部が前記第２の取付部材の板厚方向に沿って貫通状に設けられている構成が提案される。
【０００９】
かかる構成とすることにより、前記第１の取付部材のみ前記ヘッド本体に対してネジ止めされているために前記第２の取付部材の脱着が容易となる。
【００１０】
また、前記第２の取付部材が前記ヘッド本体に取り付けられた状態で、前記第２の取付部材の外嵌孔部の周縁部が、前記第１の取付部材と前記背部キャビティ内の前記ネジ台座とに挟持されている構成が提案される。
【００１１】
かかる構成にあって、前記第２の取付部材は、外嵌孔部が前記ネジ台部に外嵌することで当該第２の取付部材における板面方向において位置決めされると共に、前記第１の取付部材の板面と前記ネジ台座とに挟持されることで前記背部キャビティ内において深さ方向にも位置決めされることとなる。そうすると、第２の取付部材を固定するにあたって、ヘッド本体の他の部位に第２の取付部材を接触させる必要がなくなり、結局、第２の取付部材とヘッド本体との接触箇所又は接触面積を減らすことができる。ここで、別部材を装着するアイアンクラブヘッドは、別部材のがたつきが原因となって打撃時に異音が発生しやすくなる場合があるところ、上記構成とすることにより異音の発生を大幅に抑制することができる。
【００１２】
また、前記第１の取付部材と前記第２の取付部材とが、積層状に重ね合わされて前記ヘッド本体に取り付けられている構成が提案される。
【００１３】
かかる構成とすることにより、前記第１の取付部材と前記第２の取付部材とが一体化されることとなって、重心の位置が安定しやすくなる利点がある。
【００１４】
また、前記第２の取付部材は、平板形状である構成が提案される。
【００１５】
かかる構成とすることにより、仮にヘッド本体の外観形状に合わせて第１の取付部材が湾曲した板形状とされていたとしても、第２の取付部材は共通部材として、他の異なる曲率の第１の取付部材が取り付けられたヘッド本体にも採用可能となる。このため、全体として製造コストを抑えることができる。
【００１６】
さらに、前記第１の取付部材と前記第２の取付部材とにおいて互いが対向する板面のうち、一方に嵌合凸部が形成されており、他方に、前記嵌合凸部に嵌合する嵌合凹部が形成されている構成が提案される。
【００１７】
かかる構成とすることにより、前記第２の取付部材が前記第１の取付部材に対して位置決めされてがたつきが抑制される。
【００１８】
また、外表面の色が互いに異なる前記第１の取付部材又は前記第２の取付部材を交換可能に複数備えている構成が提案される。
【００１９】
かかる構成とすることにより、アイアンクラブヘッドの重さや重心の位置の選択肢が増えてユーザーの要望に柔軟に答えることができると共に、色の違いによって意匠性の高いユーザー好みのアイアンクラブヘッドとすることができる。また、選択した前記第１の取付部材や前記第２の取付部材の色や色の組合せを定めることによって、その色等を記憶したユーザーによって容易に希望するアイアンクラブヘッドの条件設定を得ることも可能となる。
【００２０】
また、比重が互いに異なる前記第１の取付部材又は前記第２の取付部材を交換可能に複数備えている構成としてもよい。
【００２１】
かかる構成とすることにより、ユーザー好みの重さのアイアンクラブヘッドを得ることが可能となる。
【発明の効果】
【００２２】
本発明のアイアンクラブヘッドは、ユーザー自身が重さや重心の位置を調整することができる優れた効果がある。
【図面の簡単な説明】
【００２３】
【図１】実施例にかかるアイアンクラブヘッドの外観斜視図である。
【図２】実施例にかかるアイアンクラブヘッドの分解斜視図である。
【図３】実施例にかかるアイアンクラブヘッドの縦断面図である。
【図４】実施例にかかるアイアンクラブヘッドのネジ台座近傍の部分拡大断面図である。
【図５】変形例にかかるアイアンクラブヘッドのネジ台座近傍の部分拡大断面図である。
【発明を実施するための形態】
【００２４】
以下、本発明のアイアンクラブヘッドを具体化した実施例を詳細に説明する。なお、本発明は、下記に示す実施例に限定されることはなく、適宜設計変更が可能である。
【００２５】
〔実施例〕
図１〜図３に示すように、アイアンクラブヘッド１は、ボールを打撃する打撃面１１を備えたヘッド本体１０を有している。さらに、ヘッド本体１０における打撃面１１とは反対側の面（背面）には、凹状の背部キャビティ１２が設けられている。なお、背部キャビティ１２において、打撃面１１に向かう方向を背部キャビティ１２の深さ方向としている。
【００２６】
さらに、図２等に示すように、背部キャビティ１２内の奥深部には、凸段部状に膨隆して突出した左右一対のネジ台座１３，１３が設けられている。具体的には、ネジ台座１３，１３は、ヘッド本体１０のヒール側とトウ側に１個ずつ配置されている。さらに、ネジ台座１３の中心にはネジ孔が設けられている。
【００２７】
また、各ネジ台座１３に連続する隣接位置には、背部キャビティ１２の奥深部から突出する段差形状の第１段部１５がそれぞれ設けられている。なお、各ネジ台座１３と第１段部１５における、背部キャビティ１２の奥深部からの高さは互いに同じ高さとされている。
【００２８】
加えて、背部キャビティ１２の下端縁部であって左右一対の第１段部１５，１５間には、第２段部１６が当該下端縁部に沿って形成されている。なお、第２段部１６の形状は、第１段部１５よりもさらに打撃面１１から離れる方向に突出する段差形状となっている。
【００２９】
さらに、ヘッド本体１０には、第１の取付部材２０が脱着自在に取り付けられる。
図２等に示すように、第１の取付部材２０は、ヘッド本体１０の背面形状に沿って湾曲した板片状をなしている。具体的に第１の取付部材２０は、ヘッド本体１０に形成された背部キャビティ１２の開口面に沿った板面２１を有しており、背部キャビティ１２のヒール側端からトウ側端に至るまで、背部キャビティ１２のほぼ下半分を部分的に被覆する外観形状を有している。
【００３０】
また、第１の取付部材２０におけるヘッド本体１０側の板面２７には、板面２７から背部キャビティ１２側に突出する凸段部状のネジ台部２３，２３が左右一対で設けられている。そしてさらに、ネジ台部２３には、第１の取付部材２０の板厚方向に沿った貫通孔２８，２８がそれぞれ設けられている。
【００３１】
また、第１の取付部材２０の板面２１には、板厚方向に貫通する嵌合孔部（嵌合凹部）２５が複数設けられている。なお、嵌合孔部２５の平面形状は適宜選択できるが、例えば本実施例では多角形状（六角形状等）とされている。
【００３２】
また、ヘッド本体１０には、第２の取付部材３０が脱着自在に取り付けられる。
図２等に示すように、第２の取付部材３０は、第１の取付部材２０の湾曲形状に沿って湾曲した板片状をなしている。具体的には、ヘッド本体１０に形成された背部キャビティ１２のヒール側からトウ側に至る横長板形状をなしている。なお、第２の取付部材３０の左右両端には、それぞれ外嵌孔部３３が当該第２の取付部材３０の板厚方向に沿って貫通状に設けられている。なお、外嵌孔部３３の機能については、後で詳述する。
【００３３】
また、第２の取付部材３０における、第１の取付部材２０に対向する板面３４には、第１の取付部材２０の嵌合孔部２５に嵌合する嵌合凸部３５が複数設けられている。なお、嵌合凸部３５の平面形状は、嵌合孔部２５の平面形状に対応して定められる。
【００３４】
次に、ヘッド本体１０に第１の取付部材２０及び第２の取付部材３０を取り付ける手順、及び取り付けられた状態の詳細を説明する。
まず、図３に示すように、ヘッド本体１０の背部キャビティ１２の開口に、第２の取付部材３０を配置し、さらに第１の取付部材２０を第２の取付部材３０の嵌合凸部３５と嵌合孔部３３が嵌合するように重ね合わせて積層状に配置する。このとき、図４に示すように、第１の取付部材２０のネジ台部２３がヘッド本体１０のネジ台座１３に突き当てられる。この状態で、第１の取付部材２０のネジ台部２３における貫通孔２８に背面側からネジ５１を挿通し、そしてネジ５１がネジ台座１３のネジ孔に螺入して、第１の取付部材２０をヘッド本体１０に脱着自在にネジ止めする。
【００３５】
このとき、第１の取付部材２０における第２の取付部材３０側の板面２７の下端縁２６が、ヘッド本体１０の第２段部１６に当接する（図３参照）。
【００３６】
また、第２の取付部材３０の外嵌孔部３３が、第１の取付部材２０のネジ台部２３に外嵌して、外嵌孔部３３の孔縁が、第１の取付部材２０のネジ台部２３の外周面に当接する。さらに、第２の取付部材３０の板面３４とは反対側の板面３６が、ヘッド本体１０の第１段部１５に当接する。
【００３７】
また、嵌合凸部３５と嵌合孔部２５とが嵌合することにより、第２の取付部材３０が背部キャビティ１２の奥深部と離間した状態で、ヘッド本体１０と第１の取付部材２０との間に介在して挟持された構成が実現される。
【００３８】
ユーザーは、希望に応じてヘッド本体１０に第１の取付部材２０及び第２の取付部材３０を取り付けたり、第１の取付部材２０のみ取り付けたり、第１の取付部材２０及び第２の取付部材３０の両方を適宜取り外したりしてアイアンクラブヘッド１の重さや重心の位置を好みに応じて変更することが可能である。
【００３９】
さらに、上述の第２の取付部材３０に替えて、例えば背部キャビティ１２のヒール側にのみ配される別の第２の取付部材や、トウ側にのみ配されるさらに別の第２の取付部材のような複数の第２の取付部材を備える構成（セット）としてもよい。かかる構成とすることによって、アイアンクラブヘッド１の重さや重心の位置の選択肢がさらに増える。なお、このように第２の取付部材は、１個のアイアンクラブヘッド１に対して複数個使用されても構わない。また、第２の取付部材３０は、平板形状であってもよい。かかる構成とすることにより、仮にヘッド本体１０の外観形状に合わせて第１の取付部材２０が湾曲した板形状とされていたとしても、第２の取付部材３０は共通部材として、他の異なる曲率の第１の取付部材２０が取り付けられたヘッド本体１０にも採用可能となる。
【００４０】
また、同様に第１の取付部材２０も、例えば背部キャビティ１２のヒール側にのみ配される別の第１の取付部材や、トウ側にのみ配されるさらに別の第１の取付部材のような複数の第１の取付部材を備える構成（セット）としてもよい。これによりアイアンクラブヘッド１の重さや重心の位置の選択肢が大幅に増加する。
【００４１】
また、第１の取付部材２０や第２の取付部材３０の材料は特に限定されないが、アイアンクラブヘッド１の重さや重心の位置を適度に変更可能とするために、比重の重い金属製であることが望ましい。例えばジュラルミン製でかつ表面がアルマイト処理されたものであると、外表面に様々な色で着色加工を施すことが容易となるため、ユーザーの希望に応じて好みの色の第１の取付部材２０や第２の取付部材３０を交換可能に取り付けることで意匠性のあるアイアンクラブヘッド１とすることができる。勿論、異素材のものを適宜組み合わせてもよい。例えば、異素材のものを採用すると、比重が互いに異なる第１の取付部材２０又は第２の取付部材３０を交換して使用することができる。
【００４２】
また、嵌合孔部２５や嵌合凸部３５の形状は、六角形状以外の多角形状や、円形状、あるいは楕円形状であっても構わない。また、嵌合孔部２５は、有底の凹部形状であってもよい。また、第１の取付部材２０に嵌合凸部が設けられ、第２の取付部材３０に嵌合孔部が設けられていてもよい。また、嵌合孔部２５及び嵌合凸部３５が形成されていない構成も本発明に含まれる。また、第１の取付部材２０をヘッド本体１０に固定するネジは２個以上であってもよい。また、複数の第１の取付部材２０を固定する際には、各第１の取付部材２０にネジ台座１３が個別に設けられていても構わない。また、第１段部１５はネジ台座１３に隣接して形成される必要はないが、ネジ台座１３の近傍に設けられることによって第２の取付部材３０がヘッド本体１０に安定して固定される利点がある。また、第２段部１６は必須のものではないが、背部キャビティ１２の外周縁に設けられていることによって第１の取付部材２０がヘッド本体１０に安定して固定される利点がある。また、適宜、背部キャビティ１２内に、アンダーカット部やブリッジ部を形成しても勿論よい。
【００４３】
〔変形例〕
図５に示すように、ネジ台座１３の外径を拡張して、第２の取付部材３０がヘッド本体１０に取り付けられた状態で、第２の取付部材３０の外嵌孔部３３の周縁部が、第１の取付部材２０における板面２７と背部キャビティ１２内のネジ台座１３とに挟持されている構成としてもよい。
【００４４】
なお、かかる構成を採用した場合には、実施例に示した第１段部１５及び第２段部１６は不要となり、全体として第２の取付部材３０とヘッド本体３０との接触箇所又は接触面積を減じることが可能となる。
【符号の説明】
【００４５】
１          アイアンクラブヘッド
１０        ヘッド本体
１１        打撃面
１２        背部キャビティ
１３        ネジ台座
１５        第１段部
１６        第２段部
２０        第１の取付部材
２１        板面（第１の取付部材の）
２３        ネジ台部
２５        嵌合孔部（嵌合凹部）
２６        下縁端
２７        板面（第１の取付部材の）
３０        第２の取付部材
３３        外嵌孔部
３４        板面（第２の取付部材の）
３５        嵌合凸部
３６        板面（第２の取付部材の）
５１        ネジ
【図１】
2018153382.tif 000003
【図２】
2018153382.tif 000004
【図３】
2018153382.tif 000005
【図４】
2018153382.tif 000006
【図５】
2018153382.tif 000007